(57)【要約】【課題】周辺の温度変化に対しても受発光素子のばらつきに対応して記録に最適な条件を設定できる光情報記録再生装置を提供する。【解決手段】記録信号に対応した記録用光レーザービームをディスク１０１上に照射してピット列を作りデータを記録する受発光ヘッド１０３と、受発光ヘッド１０３近傍の温度を測定する温度センサー１１６と、前記記録用光レーザービームの照射時間を調整するストラテジー調整器１０９と、ストラテジー調整器１０９が前記照射時間を調整するための複数の調整量を記憶するメモリ１１５を備え、メモリ１１５には温度パラメータ毎に複数の調整量を格納しており、光ヘッド近傍の温度に応じてメモリ１１５の調整量を選択する。【選択図】図１
2007273021.tif 000002
【特許請求の範囲】
【請求項１】
データを記録する信号を符号化するデータエンコ−ダと、
前記エンコーダで符号化した記録信号に対応した記録用光レーザービームをディスク上に照射してピット列を作りデータを記録する受発光ヘッドと、
前記受発光ヘッド近傍の温度を測定する温度センサーと、
前記受発光ヘッドの出力する記録用光レーザービームのパワーレベルを複数の組み合わせレベルに制御するレーザー駆動部と、
前記記録用光レーザービームの照射時間を調整するストラテジー調整器と、
前記ストラテジー調整器が前記照射時間を調整するために参照するストラテジー調整量を前記受発光ヘッド近傍の周辺温度パラメータ毎に複数個記憶するメモリと、
前記温度センサーの温度情報をもとに前記メモリに格納された複数の前記ストラテジー調整量のいずれかを選択するＣＰＵを備える、
ことを特徴とした光情報記録再生装置。
【請求項２】
前記調整量を記憶するメモリに格納される温度パラメータ毎の前記ストラテジー調整量を予め設定する、
ことを特徴とする請求項１に記載の光情報記録再生装置。
【請求項３】
前記ＣＰＵは、前記受発光ヘッド近傍の周辺温度が変化したときに前記ディスクの試し書き領域を用いて最適な調整量を求めて前記メモリに格納されているストラテジー調整量と比較し、所定の量以上異なっている場合には前記メモリに格納されているストラテジー調整量に前記最適な調整量を上書きして更新する、
ことを特徴とする請求項１に記載の光情報記録再生装置。
【請求項４】
前記更新は、間欠動作によって記録状態から待機状態へ移行する際に行い、次回の記録状態での書き込みは、更新したストラテジー調整量を用いて行う、
ことを特徴とする請求項３に記載の光情報記録再生装置。
【請求項５】
前記更新は、間欠動作によって待機状態から記録状態へ移行する際に行い、前記記録状態で書き込みを行う時に更新されたストラテジー調整量を用いる、
ことを特徴とする請求項３に記載の光情報記録再生装置。
【発明の詳細な説明】
【技術分野】
【０００１】
本発明は、光情報記録再生装置に係り、特に間欠記録動作を行う装置に好適に利用できるものである。
【背景技術】
【０００２】
近年、レーザー光源としての半導体レーザーの短波長化、高い開口率（Ｎｕｍｅｒｉｃａｌ  Ａｐｅｒｔｕｒｅ）を有する高ＮＡ対物レンズによるスポット径の小径化、それと基板の薄型化の進歩によりＤＶＤ−Ｒ、ＤＶＤ−ＲＷ、ＤＶＤ−ＲＡＭなどの大容量の光ディスクが光情報記録再生装置に用いられている。
【０００３】
例えば、色素記録層を有する記録媒体（以下、色素系記録媒体と称す）のひとつであるＤＶＤ―Ｒへの情報の記録は、記録媒体上のマークの始端と終端に情報を記録するマークエッジ記録方式により行われている。このような大容量の光ディスクに対する記録において、記録媒体の蓄熱や冷却速度の不足に起因するマークの形成不良を考慮して、使用する光ディスクの品質に応じてレーザーの強度を調整するパルス制御方式が実用化されている。このパルス制御方式は、レーザー強度を調整するため細かい間隔でレーザーのオンオフ制御を行うものである。このパルス制御方式において、先頭加熱パルスと後続する複数個の連続加熱パルスとの組み合わせによるパルス列からなるマルチパルスを用いたレーザー発光波形規則（以下、ストラテジーと称す）が提案されている。また、パルス制御方式としては、マークの長さとそのマークの直前又は直後のスペースの長さに応じて先頭の加熱パルスのパルス幅を変化させる方法も提案されている。
【０００４】
色素系記録媒体や相変化記録方式の記録媒体に対して記録を行う場合には、周囲温度や記録媒体の種類などにより記録条件が異なり、そのときの最適なストラテジーも異なっている。そこで記録時毎に異なるストラテジーを決定する方法が開示されている（例えば、特許文献１参照）。
【０００５】
図１２は従来の光情報記録再生装置の構成を示すブロック図である。図１２において、情報信号を記録再生する光ディスク１０１をマウントして回転させるスピンドルモーター１０２、光ディスク１０１にレーザービームを照射して情報信号を記録再生する受発光素子１０３、受発光素子１０３のトラッキング動作、トラック間を光ディスク１０１の半径方向に大きく移動させるアクセス動作に使われるトラバースモーター１０４を配備している。受発光素子１０３は光ディスク１０１の記録面に対して垂直な方向（以下、フォーカス方向と称す）や半径方向（以下、トラッキング方向と称す）に微小に動かすためのアクチュエータ、及び半導体レーザーなどで構成される各種プリズム・信号検出用ディテクタ等で一体に構成されている。そしてスピンドルモーター１０２、受発光素子１０３、トラバースモーター１０４の動作はそれぞれスピンドルモータドライバー１１４、レーザー駆動部１１０、アクチュエータドライバー１１３、及びトラバースドライバー１０５により制御されている。さらにヘッドアンプ１０６は受発光素子１０３の再生出力からの電気信号を光ディスク１０１における物理信号に変換する。ヘッドアンプ１０６からの信号はデータデコーダ１０７に入力されて復調やエラー訂正などの処理を行って光ディスク１０１に記録された情報信号が再生される。記録用光レーザービームを制御するレーザー駆動部１１０は、記録データ信号の符号化を行うデータエンコーダ１０８の出力に応じてレーザービームの照射時間を微調整するストラテジー調整器１０９の出力に基づき受発光素子１０３の記録用レーザービームの駆動を行う。またアクチュエータドライバー１１３は光ディスク１０１から検出された信号を基にサーボ制御を行うサーボ制御器１１２の出力に基づいて各アクチュエータを駆動する。スピンドルモータドライバー１１４はサーボ制御器１１２の出力に基づいてスピンドルモーター１０２を駆動する。光情報記録再生装置全体の動きはＣＰＵ１１３により管理される。ストラテジー調整器１０９はレーザービームの照射時間をレーザー駆動部１１２に出力する。
【０００６】
図１３にモバイル用途として一般的な光情報記録再生装置に書き込む間欠記録のタイミングを示す。屋外で使用する民生機器に搭載された光情報記録再生装置はバッテリーなどの使用時間などの問題より駆動する時間を細かく制御するようになっている。図１３においてＩＤＬＥ領域は記録するべき映像情報を民生機器本体のバッファーに蓄積している状態である。この時点では光情報記録再生装置自体はＩＤＬＥ（待機）領域である。そしてバッファーに蓄積される情報量が一杯になる前に光情報記録再生装置の記録領域に移行する。記録領域ではバッファーに蓄積された映像情報を光情報記録再生装置に転送し、光情報記録再生装置に書き込んでいる状態である。それぞれの領域に費やす時間はバッファーの容量や扱うデータの転送レートなどにより異なるが例えばＩＤＬＥ領域と記録領域それぞれに一定の時間を設定し、図１３のようにＩＤＬＥ領域と記録領域のサイクルを繰り返す。
【特許文献１】特開２０００−２０７７４２号公報
【発明の開示】
【発明が解決しようとする課題】
【０００７】
近年光情報記録再生装置が民生機に搭載された製品がモバイル用途として屋外にて使用する場合が生じてきている。前記従来の技術では最適な記録パワーやストラテジーは受発光ヘッドの性能のバラつきに対応した設定を予めパラメータとして準備しているが、それは常温においてのストラテジーであり、装置の周辺温度が変化しても同一のパラメータを採用している。そのため、屋外に持ち出したときの高温あるいは低温時の温度変化に対して最適パワーおよびストラテジーが適用されないという課題を有していた。特に図１３のように間欠記録を行う場合にはＩＤＬＥ領域の間に周辺温度が変化することもあり、ＩＤＬＥ領域から記録領域に移行した際に最適な記録パワーとストラテジーを適用することが出来ないという課題があった。
【０００８】
本発明は、前記従来の課題を解決するもので、周辺温度が変化しても適応した最適なストラテジーにて記録し良好な記録品位を実現することができる光情報記録再生装置を提供することを目的とする。
【課題を解決するための手段】
【０００９】
前記従来の課題を解決するために、本発明の光情報記録再生装置は、データを記録する信号を符号化するデータエンコ−ダと、前記エンコーダで符号化した記録信号に対応した記録用光レーザービームをディスク上に照射してピット列を作りデータを記録する受発光ヘッドと、前記受発光ヘッド近傍の温度を測定する温度センサーと、前記受発光ヘッドの出力する記録用光レーザービームのパワーレベルを複数の組み合わせレベルに制御するレーザー駆動部と、前記記録用光レーザービームの照射時間を調整するストラテジー調整器と、前記ストラテジー調整器が前記照射時間を調整するために参照するストラテジー調整量を前記受発光ヘッド近傍の周辺温度パラメータ毎に複数個記憶するメモリと、前記温度センサーの温度情報をもとに前記メモリに格納された複数の前記ストラテジー調整量のいずれかを選択するＣＰＵを備えることを特徴としたものである。
【００１０】
さらに光情報記録再生装置において、前記調整量を記憶するメモリに格納される温度パラメータ毎の前記ストラテジー調整量を予め設定することを特徴とするものである。
【００１１】
さらに光情報記録再生装置において、前記ＣＰＵが前記受発光ヘッド近傍の周辺温度が変化したときに前記ディスクの試し書き領域を用いて最適な調整量を求めて前記メモリに格納されているストラテジー調整量と比較し、所定の量以上異なっている場合には前記メモリに格納されているストラテジー調整量に前記最適な調整量を上書きして更新することを特徴とするものである。
【００１２】
さらに光情報記録再生装置において、前記更新は、間欠動作によって記録状態から待機状態へ移行する際に行い、次回の記録状態での書き込みは、更新したストラテジー調整量を用いて行うことを特徴とするものである。
【００１３】
さらに光情報記録再生装置において、前記更新は、間欠動作によって待機状態から記録状態へ移行する際に行い、前記記録状態で書き込みを行う時に更新されたストラテジー調整量を用いることを特徴とするものである。
【発明の効果】
【００１４】
本発明の光情報記録再生装置によれば、周辺温度の変化に応じて光ディスクに記録する最適な記録条件にて記録することができる。また最適条件を更新しメモリに格納しておくことで次回の記録時に最適な記録条件を復元できる。
【発明を実施するための最良の形態】
【００１５】
以下に、本発明の光情報記録再生装置の実施の形態を図面とともに詳細に説明する。
【実施例１】
【００１６】
図１は、本発明の第１の実施例における光情報記録再生装置の構成図を示すブロック図である。
図１において、実施例１の光情報記録再生装置は、情報信号が記録されている光ディスク１０１をマウントして回転させるスピンドルモーター１０２、ディスク１０１にレーザービームを照射して情報信号を記録再生する受発光素子１０３、受発光素子１０３のトラッキング動作、トラック間を光ディスク１０１の半径方向に大きく移動させるアクセス動作に使われるトラバースモーター１０４を配備している。受発光素子１０３は光ディスク１０１の記録面に対して垂直な方向（以下、フォーカス方向と称す）や半径方向（以下、トラッキング方向と称す）に微小に動かすためのアクチュエータ、及び半導体レーザーなどで構成される各種プリズム・信号検出用ディテクタ等で一体に構成されている。
【００１７】
そしてスピンドルモーター１０２、受発光素子１０３、トラバースモーター１０４の動作はそれぞれスピンドルモータドライバー１１４、レーザー駆動部１１０、アクチュエータドライバー１１３、及びトラバースドライバー１０５により制御されている。さらにヘッドアンプ１０６は受発光素子１０３の再生出力からの電気信号を光ディスク１０１における物理信号に変換する。ヘッドアンプ１０６からの信号はデータデコーダ１０７に入力されて復調やエラー訂正などの処理を行って光ディスク１０１に記録された情報信号が再生される。記録用光レーザービームを制御するレーザー駆動部１１２は、記録データ信号の符号化を行うデータエンコーダ１０８の出力に応じてレーザービームの照射時間を微調整するストラテジー調整器１０９の出力に基づき受発光素子１０３の記録用レーザービームの駆動を行う。またアクチュエータドライバー１１３は光ディスク１０１から検出された信号を基にサーボ制御を行うサーボ制御器１１２の出力に基づいて各アクチュエータを駆動する。スピンドルモータドライバー１１４はサーボ制御器１１２の出力に基づいてスピンドルモーター１０２を駆動する。光情報記録再生装置全体の動きはＣＰＵ（Ｃｅｎｔｒａｌ  Ｐｒｏｃｅｓｓｉｎｇ  Ｕｎｉｔ）１１１により管理される。ストラテジー調整器１０９は、それぞれ予め複数の設定の発光波形規則（以下、ストラテジーと称す）調整量を格納したメモリ１１５により選択されたそれぞれの設定のストラテジー調整量に応じてレーザービームの照射時間をレーザー駆動部１１２に出力する。温度センサー１１６は受発光素子１０３およびディスク１０１の近傍に配備し周辺温度を監視しその結果をＣＰＵ１１１に伝達する。
【００１８】
ここで上記の構成の実施例１の光情報記録再生装置におけるストラテジー調整について図１を参照しつつ説明する。ＤＶＤ―Ｒ／ＲＷなどの光ディスク媒体に対しては、受発光素子１０３から所定の記録パワー値を有するレーザービーム（以下、記録用ビームと記す）を照射してディスク１０１上に３Ｔ〜１１Ｔ（ここでＴはビームスポットの直径に対応する記録用ビームの照射時間の単位長さをいう）の長さのピットを形成して情報データの記録を行う。この記録時に記録用ビームを照射する時間に応じてディスク１０１上に形成されるピットの長さ（３Ｔ〜１１Ｔ）が決まる。理想的には、記録用ビームの照射時間とピットの長さとは比例するが、実際にはピットサイズと記録用ビームのスポットサイズとが近接しているため、ピットの長さは記録用ビームの照射時間より若干長くなる。またディスク１０１上の記録膜の温度上昇による溶融でピットが形成されるため、一般的にピット長さの短いピットである３Ｔ、４Ｔ等では、ピット長さが長いピット５Ｔ〜１１Ｔに比べて形成されるピット長さが理想的なものより短めになる傾向がある。このため理想的にピットを形成するためには、記録用ビームの照射時間を決める記録用ビームの照射パルスの継続時間の長さ（以下、照射パルス長と称す）を調整して補正することが必要になる。データエンコーダ１１０にて符号化された３Ｔ〜１１Ｔのデータ信号に応じた記録用ビームの照射パルス長の微調整はストラテジー調整器１１１で行う。
【００１９】
次に具体的なデータパターンの記録再生時の位相誤差検出について説明する。図２は記録再生動作における具体的な信号波形の一例を示しており、（ａ）は記録クロックであり、（ｂ）はマークとスペースを形成するための記録データであり、（ｃ）はレーザー駆動部１１２に入力されるレーザー駆動波形であり、（ｄ）は光ディスク６の記録層に形成されたマークとスペースを示している。また、図２において、（ｅ）は（ｄ）の記録マークを再生したときのＲＦ信号の再生波形（実線）であり、（ｆ）は再生波形の２値化出力波形であり、（ｇ）はデータ抽出クロック信号としてのチャンネルクロックを示している。Ｔｔｏｐは記録データのリーディングエッジからの比較的短い時間のパルスであるトップパルスを示している。データを記録し再生した結果、例えば図２の（ｅ）において、３Ｔスペース―６Ｔマークのデータパターンにおけるマークの立ち上がりエッジ（以下、始端と称す）において、ＲＦ信号の再生波形における電位が基準レベルより高かったとする。この場合、位相誤差のためにマークの先頭位置が所定の位置よりも後方にあると認識することができ、マークを広げる方向にストラテジーを変更する必要がある。すなわち、上記のデータパターンのマークの先頭位置を調整するためのパラメータを位相誤差量に相当するだけ分だけ変化させることにより、位相誤差の小さい記録補償パラメータに変更することができる。
【００２０】
上記と同様の測定を行い位相誤差テーブルを作成して、すべてのデータパターンを対象に位相誤差検出を行うことにより、あらゆる組合せのデータパターンにおいて位相誤差の小さい記録条件を決定することができる。
【００２１】
ここでテストパターンを用いたストラテジー調整をディスク１０１上のどこで行うかについて図３の記録領域のレイアウト図を参照して説明する。ＤＶＤ―Ｒ／ＲＷディスクにおいては、最内周から外周方向に向けて順に記録パワーの決定を行うパワーキャリブレーションエリア（ＰＣＡ：Ｐｏｗｅｒ  Ｃａｌｉｂｒａｔｉｏｎ  Ａｒｅａ）、ディスクのどこにどのような記録を行ったかを記録するプログラムマネジメントエリア（ＰＭＡ：Ｐｒｏｇｒａｍ  Ｍａｎａｇｅｍｅｎｔ  Ａｒｅａ）、ディスクのトラック情報を記録するリードイン（Ｌｅａｄ―ｉｎ）領域、データを記録するデータ領域、及びデータ領域の終わりを示すリードアウト（Ｌｅａｄ―ｏｕｔ）領域がそれぞれレイアウトされている。このＰＣＡでは必ずしも記録したデータが読めなくてもかまわないので、ＰＣＡがテストパターンを書くのに最も適している。そこでＰＣＡにおいてストラテジー調整を行って、データ領域に記録する際のストラテジー調整量を決定する。
【００２２】
例えばＤＶＤ―Ｒディスクにおいてはデータの記録に先立って通常起動時には最適な記録パワーを求めるためのオプティマムパワーコントロール（ＯＰＣ：Ｏｐｔｉｍｕｍ  Ｐｏｗｅｒ  Ｃｏｎｔｏｒｏｌ）操作を行う。ＯＰＣ操作記録学習はディスクの最内周のＰＣＡにて例えば順次記録パワーを増加させて段階的に記録パワーを変えて試し書きを行う。その試し書きをした部分を再生して再生信号のエンベロープを検出する。最初の数段階での弱い記録パワーではほとんど記録できていないため、再生信号の振幅はゼロであり記録パワーが増加するに従って再生信号の振幅が増加している。それぞれの段階における再生信号のエンベロープの中心値（センター）に対するピーク値とボトム値との対称性を表すβを求め、再生信号のエンベロープの対称性の良い最適なβとなる試し書き部分に対応する記録パワーを最適記録パワーとしている。ここで最適なβを求めるためには、試し書きによるエラーレートが良好なβ値を目標として記録パワーを決定している。その方法としては以下の３ステップがある。（１）ドライブ工程調整にて標準ディスクを再生して得たΔβをＥＥＰＲＯＭより読み出す。（２）レーザーパワーを振ってβ値を測定しΔβの補正を行う。（３）補正したβ測定値を元に直線近似を行い、目標β値になるレーザーパワーを記録パワーとする。なおここにβとは規格書である「オレンジブック」に記載されている再生信号の対称性を示す指標で、ＡＣ結合された再生信号エンベロープのＤＣゼロレベルを基準にピーク側とボトム側の対称性βを次式で求める。
【００２３】
【数１】
2007273021.tif 000003
【００２４】
つまり、ピークとボトムの大きさが等しい場合はゼロ、ピークが大きければプラス、ボトムが大きければマイナスの値となる。
【００２５】
次に温度変化に対するストラテジー調整項目について説明する。図４はストラテジー調整項目Ｔｄｔｐ（ここでＴｄｔｐとはマークの始端エッジの調整パラメータを示す。）を振ったときの温度０℃、２５℃、５０℃におけるエラーレートの測定例を示している。横軸はＴｄｔｐ調整値であり”０”を基準にして正の方向がマークを広げる方向で逆に負の方向がマークを狭くする方向である。縦軸はそのときのバイトエラーレート（ＢＥＲ）である。図４から分かるようにそれぞれの温度での最良のエラーレートが得られる調整値は異なっている。
【００２６】
図５は各温度にて最良のエラーレートが得られるＴｄｔｐおよびＴｔｏｐの最適な調整値を１０℃毎にプロットしたものである。横軸が温度であり、縦軸はストラテジー調整量である。このように温度に対して規則性をもって変化しており、一定の温度間隔でデータを取ることによって近似が可能である。
【００２７】
ストラテジー調整の手順について図６に示すフローチャートを用いて説明する。
ここでは調整量のひとつであるＴｔｏｐについて説明する。
まずステップ1（Ｓ１）で所望の測定位置にシークする。測定位置は図３におけるＰＣＡ領域である。
【００２８】
次にステップ２（Ｓ２）でストラテジー調整器１０９においてストラテジー調整量を変更する。この時、調整区間の最小分解能を１／３２Ｔとして、設定の短い３Ｔのビットサイズのデータについて、１／３２Ｔのステップでストラテジー調整値を＋１／３２Ｔ、―１／３２Ｔ、＋２／３２Ｔ、―２／３２Ｔ、＋３／３２Ｔ、・・・のように増減させて、一定区間の記録を行う。その記録した一定区間の再生を行い、その再生信号のエラーレート値を測定する。そして再生信号のエラーレート値が最も良くなる値を求め、調整値を決定する。４Ｔなど他のパターンについても同様に、ストラテジー調整値を１／３２Ｔステップで増減させて、一定区間の記録、再生、再生信号のエラーレート測定を行って、再生信号のエラーレート値が良くなるストラテジー調整値を決定する。
【００２９】
例えば現在のストラテジー調整量Ｔｔｏｐがａ＝４０である場合は４０の値から５減算したａ０＝３Ｂの値を設定する。例えば基準クロックＴの１／３２で調整できるシステムだとすれば１／３２×５Ｔずらすことができることになる。
【００３０】
その次にステップ３（Ｓ３）にてテストパターンを書き込む。パターンはランダムパターンである。
ステップ４（Ｓ４）はＣＰＵ１１１がステップ３で書き込まれたパターンを読み出してエラーレートを測定する。
ステップ５（Ｓ５）ではステップ２で設定されたときのストラテジー調整値に対するエラーレートの測定値をメモリ１１５に格納する。
【００３１】
ステップ６（Ｓ６）ではＣＰＵ１１１が直前のエラーレート測定に用いられたＴｔｏｐのパラメータが初期値ａ０に対してＴｔｏｐ＞ａ０＋５であるかを判別する。Ｔｔｏｐ＞ａ０＋５を満たしていなければステップ７にてＴｔｏｐ＝Ｔｔｏｐ＋１と加算し、変更されたＴｔｏｐの量を用いてステップ３に戻りテストパターンを書き込む。以下同様にステップ６まで処理を行う。ステップ６にてＴｔｏｐ＞ａ０＋５の条件を満たしたときステップ８に進む。
【００３２】
ステップ８（Ｓ８）ではそれぞれＴｔｏｐを変えたときのエラーレートの相関テーブルを作成する。Ｔｔｏｐの値を変えたときのエラーレート値の一例を示すと、下記の対応表のようになる。
【００３３】
【表１】
2007273021.tif 000004
【００３４】
この場合はＴｔｏｐの値が３Ｆのとき最良のエラーレートを得ることができる。
【００３５】
ステップ９（Ｓ９）ではステップ８において作成された相関テーブルを元に最適なＴｔｏｐの値３Ｆを格納する。図６の処理を出荷前の製品調整工程において、例えば０℃から６０℃まで１０℃刻みに行えば、図５に示すような周辺温度に対する最適な調整値が求まる。これらの結果を図１に示すメモリ１１５に格納することで温度特性に対するストラテジー量のテーブルを持つことができる。
【００３６】
例えばＴｔｏｐの温度による最適なストラテジー量のテーブル（温度相関テーブル）は下記のようになる。
【００３７】
【表２】
2007273021.tif 000005
【００３８】
光情報記録再生装置の動作保証温度は設計により異なっている。例えば動作保証温度が０℃から６０℃までの製品のものであったとすると、上記の最適ストラテジー量及び温度の関係よりＴｔｏｐが３８から４２までの範囲であることが補償範囲内であることが推測することができるであろう。しかし、Ｔｔｏｐが３８から４２の範囲外であった場合は周辺温度が保証範囲外であると推測することができる。またこの周辺温度にて引き続き装置の使用すると、最悪の場合では装置及びデータが破壊される危険性がある。従ってユーザーにインターフェースを通じて警告信号を発することも可能である。
【００３９】
次に図７に温度変化によるストラテジー量の更新について説明する。
まずステップ１０（Ｓ１０）で初期値Ｔｏ＝３０℃でのストラテジー量を設定する。
【００４０】
次にステップ１１（Ｓ１１）で温度センサー１１６にて現在の温度を測定し、ＣＰＵ１１１は温度相関テーブルのどの温度帯にあるかを判別する。例えば現在の温度ＴがＴ＝４２℃とする。現在の温度が初期の温度に対して閾値を超えているかどうかを判断する。閾値を１０℃とした時、現状の温度が４２℃の場合｜Ｔｏ−Ｔ｜＝１２＞１０を満たしているので４０℃の温度帯にあると判別する。一方ステップ１１にて温度が３８℃の場合は、｜Ｔｏ−Ｔ｜＝８＞１０を満たしていないため、３０℃の温度帯にあると判別する。閾値は任意に設定可能であり、基準温度±５℃を各温度の温度帯としても良い。
【００４１】
ステップ１２（Ｓ１２）ではメモリ１１５に格納している温度相関テーブルを参照して現温度での最適なストラテジー量を抽出してストラテジー調整器１０９に出力する。次にステップ１３（Ｓ１３）ではステップ１２で抽出されたストラテジー量を設定更新し次回からの記録に採用する。
【００４２】
なお、温度センサー１６による温度監視とステップ１１の温度判別は定期的に行い、記録時に常に最適なストラテジー量となるようにしている。
【００４３】
以上のように本発明の実施例１においては予め温度によって異なるストラテジー量を予め測定した温度相関テーブルを備え、周辺温度毎に最適なストラテジー量を用いるようにしたため、安定した記録品位を実現した光情報再生記録装置を提供することが出来る。
【実施例２】
【００４４】
図８は本発明の第２の実施例におけるストラテジー調整のタイミングを示した図である。図８を用いて、ＩＤＬＥ領域に入る前のストラテジー調整のタイミングについて説明する。
【００４５】
従来例で述べた通り、屋外で使用する民生機器に搭載された光情報記録再生装置はバッテリーなどの使用時間などの問題より駆動する時間を細かく制御するようになっている。これを間欠記録再生と言うが、本実施例では間欠記録について説明する。図８においてＩＤＬＥ領域は記録するべき映像情報を民生機器本体のバッファーに蓄積している状態である。この時点では光情報記録再生装置自体はＩＤＬＥ領域である。そしてバッファーに蓄積される情報量が一杯になる前に記録領域に移行する。記録領域ではバッファーに蓄積された映像情報を光情報記録再生装置に転送し、図１に示す光ディスク１０１に書き込んでいる状態である。図８は記録領域からＩＤＬＥ領域に移行する間にストラテジーの調整を行う様子を示したものである。
【００４６】
次に図９にストラテジー調整の流れを示す。図９のフローチャートはＣＰＵ１１１が行うものである。まずステップ１５（Ｓ１５）でＣＰＵ１１１が図８に示す記録領域が終了するかどうかを監視する。次にステップ１６（Ｓ１６）で現在温度が前回更新の温度に対して閾値を超えているかを判断する。閾値の判断は実施例１に記載したものと同じである。閾値を超えていたら次のステップ１７（Ｓ１７）で図６に示した手順にてストラテジーの再調整を行う。ストラテジー調整を行うタイミングは図８に示す記録からＩＤＬＥに入る直前の調整の位置である。調整終了後はＩＤＬＥ状態に入る。次にステップ１８（Ｓ１８）ではステップ１７（Ｓ１７）で再調整したストラテジー量をメモリに格納する。そしてステップ１９（Ｓ１９）で現温度でのストラテジーを更新し、ＩＤＬＥ領域から復帰した次回の記録領域から更新されたストラテジーを採用する。ステップ１６にて温度が閾値を超えていなければステップ１９に移行し現行のストラテジー量を継続する。
【００４７】
なお、初期のストラテジー学習は最初にディスクに書き込みを行う際に行う。
【００４８】
以上のように本発明の実施例２においては記録領域からＩＤＬＥ領域に移行する間にストラテジーの調整を行うようにしたので、民生機器のように外気温変化による光情報記録再生装置の周辺温度への影響があっても、常に最適なストラテジーを選択する事が可能となる。
【００４９】
また、ストラテジー調整を記録領域毎に行うようにしたため、受発光素子１０３の経年劣化に応じてストラテジーの調整が出来る。
【００５０】
ストラテジー量の変化は光情報記録再生装置のメモリ上に格納しておき、最新の値に対しての学習値を常に監視する。一般的に周辺温度が前回と同じであるにもかかわらずストラテジー調整量が大きく変化するということは図１に示す受発光素子１０３が工場出荷時に対し経年変化していると推測される。ストラテジー量が例えば１０％以上変動しているときは示す受発光素子１０３に何らかのダメージが与えられていると考えられ、光情報記録再生装置の寿命が近いと思われる。同一温度帯でのストラテジー量の経年変化を常に監視しながら１０％以上の変化が生じているか否かを常時出荷前の値と比較する。もし変化が１０％を超えるようであれば装置が破壊される可能性があるので、事前にユーザーに警告する信号をインターフェースを通じて発する。
【実施例３】
【００５１】
図１０は本発明の第２の実施例におけるストラテジー調整のタイミングを示した図である。図８を用いて、ＩＤＬＥ領域が終了した後のストラテジー調整のタイミングについて説明する。図１０においてＩＤＬＥ領域は記録するべき映像情報を民生機器本体のバッファーに蓄積している状態である。この時点では光情報記録再生装置自体はＩＤＬＥ領域である。そしてバッファーに蓄積される情報量が一杯になる前に記録領域に移行する。記録領域ではバッファーに蓄積された映像情報を光情報記録再生装置に転送し、図１に示す光ディスク１０１に書き込んでいる状態である。図１０においてＩＤＬＥ状態から光ディスクに記録する状態に移行する間にストラテジーの調整を行う。
【００５２】
次に図１１にストラテジー調整の流れを示す。図１１のフローチャートはＣＰＵ１１１が行うものである。まずステップ２０（Ｓ２０）でシステムが図１０に示すＩＤＬＥ領域から記録領域に移行するかどうかを監視する。次にステップ２１（Ｓ２１）で現在温度が前回更新の温度に対して閾値を超えているかを判断する。閾値の判断は実施例１に記載と同じである。閾値を超えていたら次のステップ２２（Ｓ２２）で図６に示した手順にてストラテジーの再調整を行う。ストラテジー調整を行うタイミングは図１０に示す記録領域からＩＤＬＥ領域に入る直前の調整の位置である。調整終了後は記録領域に入る。次にステップ２３（Ｓ２３）ではステップ２２で再調整したストラテジー量をメモリに格納する。そしてステップ２４（Ｓ２４）で現温度でのストラテジーを更新し、ＩＤＬＥ状態から復帰した次回の記録から更新されたストラテジーを採用する。ステップ２１にて温度が閾値を超えていなければステップ１９に移行し現行のストラテジー量を継続する。
【００５３】
以上のように本発明の実施例３においてはＩＤＬＥ領域から記録領域に移行する間にストラテジーの調整を行うようにしたので、ＩＤＬＥ領域の間に光情報記録再生装置の周辺温度の変化があっても、常に最適なストラテジーを選択する事が可能となる。
【００５４】
さらに、適正なストラテジー調整値が未知のディスクに記録する場合に有効である。ＤＶＤ―Ｒのような市場に出回っているディスクについては、そのディスク毎に最適なストラテジー調整量が設計段階で検討されている。そこでそのディスクに記録を行う前に、どのメーカのどの種類のディスクかを検出してストラテジー調整値を設計段階で検討した値に初期値として設定している。しかし設計段階で検討されていない未知のディスクに記録を行う際には、どのストラテジー調整値が最も良いか分からない。また温度に対する特性も不明である。そこで本実施例２を用いると、そのディスクに最適なストラテジー調整量を個々のディスクに対してその周辺温度に応じて設定することができ、良好な品位で記録を行うことができる。またこのような未知のディスクに記録を行った際には、その際の最適なストラテジー調整量をディスクの種類に関連付けてメモリ１１４へ記憶させておくようにする。このことにより未知のディスクの最適なストラテジー調整量を学習して更新することができ、もう一度同じ種類の未知のディスクを記録する際には、前回の学習値を適用することで、早く正確にデータの記録動作に及び次回のストラテジー調整を行うことができるという効果もある。
【００５５】
さらに実施例２に示したように受発光素子１０３の経年劣化を監視することも可能である。
【産業上の利用可能性】
【００５６】
本発明にかかる光情報記録再生装置は、周辺温度が変化しているときでも光ディスクに記録する最適な記録条件にて記録することができ、また最適条件を更新しメモリに格納しておくことで次回の記録時に最適な記録条件を復元できるため、特にモバイル用途として民生用に搭載される用途として有用である。
【図面の簡単な説明】
【００５７】
【図１】本発明の実施例１の光情報記録再生装置の構成を示すブロック図
【図２】同実施例１のストラテジー調整時の各部波形を示す図
【図３】同実施例１のディスクレイアウト図
【図４】同実施例１のＴｄｔｐのストラテジー調整量に対するエラーレートの相関図
【図５】同実施例１のＴｄｔｐ及びＴｔｏｐの温度による最適ストラテジー調整量の相関図
【図６】同実施例１のストラテジー調整のフローチャート
【図７】同実施例１の温度に対するストラテジー調整を行う手順を示すフローチャート
【図８】同実施例２のストラテジー調整を行うタイミング図
【図９】同実施例２の温度に対するストラテジー調整を行う手順を示すフローチャート
【図１０】同実施例３のストラテジー調整を行うタイミング図
【図１１】同実施例３の温度に対するストラテジー調整を行う手順を示すフローチャート
【図１２】従来の光情報記録再生装置の構成を示すブロック図
【図１３】従来のモバイル用途における光情報記録再生装置における記録のタイミング図
【符号の説明】
【００５８】
１０１  光ディスク
１０２  スピンドルモーター
１０３  受発光素子
１０４  トラバースモーター
１０５  トラバースドライバー
１０６  ヘッドアンプ
１０７  データデコーダ
１０８  データエンコーダ
１０９  ストラテジー調整器
１１０  レーザー駆動部
１１１  ＣＰＵ
１１２  サーボ制御器
１１３  アクチュエータドライバー
１１４  スピンドルモータドライバー
１１５  メモリ
１１６  温度センサー
【図１】
2007273021.tif 000006
【図２】
2007273021.tif 000007
【図３】
2007273021.tif 000008
【図４】
2007273021.tif 000009
【図５】
2007273021.tif 000010
【図６】
2007273021.tif 000011
【図７】
2007273021.tif 000012
【図８】
2007273021.tif 000013
【図９】
2007273021.tif 000014
【図１０】
2007273021.tif 000015
【図１１】
2007273021.tif 000016
【図１２】
2007273021.tif 000017
【図１３】
2007273021.tif 000018